(57)【要約】      （修正有）【課題】好みのデザイン・生地の素材・色彩・サイズを選べ、乳幼児や子供の治療時の不安を解消し、使い捨てマスクの使用を無くして衛生マスクの在庫を確保できるコーデマスクを提供する。【解決手段】コーデマスクは、マスクの裏側にポケットを備え、ポケットにフィルターシート等を入れ込み、簡単に着脱できる。コーデマスクの素材は特定せず、ファッション性を重視した素材・色調・柄・デザインで製造することが可能であり、おしゃれな眼鏡・帽子を付けるようにマスクも着用する事でトータルコーディネートが楽しめる。病院の感染予防や病気の為に必要としている衛生マスクの在庫が確保される。コーデマスクの中で咳・くしゃみ等をした場合、コーデマスクの裏側に取り付けた防菌・抗菌・除菌・消臭等の処理を施したフィルターシート・ガーゼ・不織布・キッチンペーパー・ティッシュ等を交換するだけで良いので衛生的である。【選択図】図１
0003230576.tif 000002
【実用新案登録請求の範囲】
【請求項１】
表面に模様、色調、図案等がデザインされた中央部が縦方向に広がるよう、横方向に折り目を付ける。
【請求項２】
表面に模様、色調、図案等がデザインされたコーデマスク裏面の両端、上下部を三つ折りにし、その三つ折りの中間部にステッチをかける。
【請求項３】
両端を中央に向け、５ｃｍ折り込み片端、上下部にステッチをかけ、ポケットを作る。
【請求項４】
そのポケットを両端に作り、耳に掛けるためのゴムを通す。
【請求項５】
コーデマスク裏面に防菌、抗菌、除菌、消臭等の処理をしたフィルターシート、または不織布、ガーゼ、キッチンペーパー等をポケットに入れ込み着脱自在に設けた、衛生的、かつ安価なコーデマスク。
【考案の詳細な説明】
【技術分野】
【０００１】本考案は、コーデマスク裏面の両端にポケットを形成し、ポケットに防菌・抗菌・除菌・消臭等の処理を施したフィルターシート、または不織布、ガーゼ、キッチンペーパー等をポケットに入れ込み着脱自在に設けるコーデマスクに関するものである。
【背景技術】
【０００２】従来のマスクは花粉・ウィルス除去が主流で、白色が基調であり、ファッション性を取り入れたものはほぼ無く、マスク＝病人と言うイメージが付きまとう。【０００３】最近の若者達、女性達は花粉・ウィルス除去を目的とするためにマスクを付けるのではなく“化粧をしていない・素顔を見られるのが嫌”と言う理由でマスクを着用する事も多い。【０００４】自己主張する若者、女性進出が増えてきている今、マスクも自己主張するアイテムの一つになる為にファッション性のある、好みのデザインが施されたコーデマスクの使用を促進したいものである。【０００５】使い捨てマスクは一度使用すると廃棄するため、病気や予防の為に使用するので無いのなら、“もったいない・エコではない・コストがかかる”という懸念点がある。
【考案の概要】
【考案が解決しようとする課題】
【０００６】従来のマスクは病人のイメージが強いので、病気ではなく素顔を隠したい若者達や女性達が好んで付けたいとは思えるものでは無い。それぞれの個性を主張できる現代において、本考案が解決しようとする課題である。
【課題を解決するための手段】
【０００７】本考案は、マスクの素材を特定せず、コーデマスク表面に、模様・色調・図案等のデザインを施された、表面中央部に縦方向に広がるよう、横方向に折り目を形成し、型を付け、コーデマスク裏面の両端、上下部を三つ折りにし、その三つ折りの中間部にステッチをかけ、両端を中央に向け５ｃｍ折り込みさらに片端・上下部にステッチをかけ、ポケット状にしてそのポケットを両端に作り、耳に掛けるためのゴムを通す。【０００８】コーデマスク裏面のポケット部に防菌、抗菌、除菌、消臭等の処理を施したフィルターシート、または不織布、ガーゼ、キッチンペーパー等をポケットに入れ込み着脱自在に設けることを特徴とし、衛生的、かつ安価なコーデマスクである。
【考案の効果】
【０００９】本考案は店頭で規格品を購入するだけで無く、好みのデザイン・生地の素材・色彩・サイズを選べ、オーダーメイドすることができる。【００１０】本考案は洋服・帽子等とのデザイン・色調と調和したファッション性豊かな、トータルコーディネートができるマスクである。【００１１】本考案は企業・ファッションブランドとコラボレーションする事により、企業の宣伝や、販売促進に繋がる。【００１２】本考案は小児科や歯科等、乳幼児や子供が怖がる治療の時も、喜びそうなキャラクターのマスクを付けることにより、少しでも不安を解消する事が出来る。【００１３】本考案を使用すると、使い捨てマスクを使用することが無くなるので、花粉・インフルエンザが流行する季節に病院や患者の為の衛生マスクの在庫を確保できる。
【図面の簡単な説明】
【００１４】
【図１】本考案のコーデマスクの構造を示す図である。
【考案を実施するための形態】
【００１５】本考案の実施形態に係るコーデマスクは、マスクの裏側に、ポケットを作り、そのポケットに、防菌、抗菌、除菌、消臭等の処理を施したフィルターシート、または不織布、ガーゼ、キッチンペーパー等を入れ込み、簡単に着脱することが可能であることを特徴とする。
【００１６】また、本考案の実施形態に係るコーデマスクは、本体部が縦方向に広がるよう、横方向に折り目が形成されており、この折り目により使用者が顔に装着した際、使用者の顔の形状に合わせてコーデマスク本体が伸長し、フィット感を高め、コーデマスクの生地の素材、デザイン、色調、サイズを選ぶ事が出来る。
【実施例】
【００１７】以下、本考案の実施例を添付図面に従って説明する。コーデマスク裏面のポケット部に防菌、抗菌、除菌、消臭等の処理を施したフィルターシート、または不織布、ガーゼ、キッチンペーパー等を入れ込み装着する。【００１８】顔面に装着し、顔面の形状に合わせて折り目を広げ、顔面にフィットさせる。
【図１】
0003230576.tif 000003
【手続補正書】
【提出日】令和2年8月26日(2020.8.26)
【手続補正１】
【補正対象書類名】実用新案登録請求の範囲
【補正対象項目名】全文
【補正方法】変更
【補正の内容】
【実用新案登録請求の範囲】
【請求項１】
デザインをしたマスク表面の中央部が縦方向に広がるよう、横方向に折り目を設け、マスク裏面の両端、上下部に三つ折りを設けるとともに、その三つ折り中間部にステッチを設け、上下部にステッチを有するポケットを両端に設け、耳に掛けるためのゴムを通し、コーデマスク裏面に防菌、抗菌、除菌、消臭等の処理をしたフィルターシート、または不織布、ガーゼ、キッチンペーパー等をポケットに入れ込み着脱自在としたところを特徴とする衛生的、かつ安価なコーデマスク。
【手続補正書】
【提出日】令和2年11月9日(2020.11.9)
【手続補正１】
【補正対象書類名】実用新案登録請求の範囲
【補正対象項目名】全文
【補正方法】変更
【補正の内容】
【実用新案登録請求の範囲】
【請求項１】
デザインをしたマスク表面の中央部が縦方向に広がるよう、横方向に折り目を設け、マスク裏面の両端、上下部に三つ折りを設けるとともに、その三つ折り中間部にステッチを設け、上下部にステッチを有するポケットを両端に設け、耳に掛けるためのゴムを通し、コーデマスク裏面に防菌、抗菌、除菌、消臭の処理をしたフィルターシート、または不織布、ガーゼ、キッチンペーパーをポケットに入れ込み着脱自在としたところを特徴とする衛生的、かつ安価なコーデマスク。